(57)【要約】【課題】  自発光型の表示パネルで信号処理の面から焼きつきを抑制、隠蔽及び修復可能な画像表示装置を提供する。【解決手段】  表示パネル７は自発光型の画素で画面を構成し、信号処理回路０から供給された映像信号に応じ発光して画像を表示するとともに、固定パターンの画像を表示した場合局所的な画素の変化が生じ画面に輝度ムラが現れる。信号処理回路０は、表示パネル７が画像を表示している時間を累積して計測する時間計測部２と、計測された累積時間に応じて、輝度ムラの隠蔽に効果的なパターンを生成するパターンジュネレータ４と、外部から入力された映像信号に生成されたパターンを合成し、その結果得られた映像信号を表示パネル７に出力する画像合成部５とを有する。【選択図】図１
2006038966.tif 000002
【特許請求の範囲】
【請求項１】
表示パネルとこれに映像信号を供給する信号処理回路とからなり、該表示パネルは自発光型の画素で画面を構成し、該信号処理回路から供給された映像信号に応じ発光して画像を表示するとともに、固定パターンの画像を表示した場合局所的な画素の変化が生じ画面に輝度ムラが現れる画像表示装置において、
前記信号処理回路は、該表示パネルが画像を表示している時間を累積して計測する時間計測部と、
該計測された累積時間に応じて、該輝度ムラの隠蔽に効果的なパターンを生成するパターンジュネレータと、
電源が投入されたとき、外部から入力された映像信号に該生成されたパターンを合成し、その結果得られた映像信号を該表示パネルに出力する画像合成部とを有することを特徴とする画像表示装置。
【請求項２】
前記画像合成部は、外部から入力された映像信号に該生成されたパターンを減算合成することを特徴とする請求項１記載の画像表示装置。
【請求項３】
前記画像合成部は、外部から入力された映像信号に該生成されたパターンを加算合成することを特徴とする請求項１記載の画像表示装置。
【請求項４】
前記パターンジュネレータは、該輝度ムラの隠蔽に効果的なパターンとしてランダムパターンを生成することを特徴とする請求項１記載の画像表示装置。
【請求項５】
前記信号処理回路は、入力された映像信号から表示する画像の画面平均輝度を算出する平均輝度算出部を含み、前記パターンジュネレータは、該画面平均輝度に応じて該生成するパターンの輝度を調整することを特徴とする請求項１記載の画像表示装置。
【請求項６】
表示パネルとこれに映像信号を供給する信号処理回路とからなり、該表示パネルは自発光型の画素で画面を構成し、該信号処理回路から供給された映像信号に応じ発光して画像を表示するとともに、固定パターンの画像を表示した場合局所的な画素の変化が生じ画面に輝度ムラが現れる画像表示装置の駆動方法において、
該表示パネルが画像を表示している時間を累積して計測する時間計測手順と、
該計測された累積時間に応じて、該輝度ムラの隠蔽に効果的なパターンを生成するパターン生成手順と、
電源が投入されたとき、外部から入力された映像信号に該生成されたパターンを合成し、その結果得られた映像信号を該表示パネルに出力する画像合成手順とを行なうことを特徴とする画像表示装置の駆動方法。
【発明の詳細な説明】
【技術分野】
【０００１】
本発明は表示パネルとこれに映像信号を供給する信号処理回路とからなる画像表示装置に関する。より詳しくは、自発光型の画素で画面を構成する表示パネルにおいて、固定パターンの画像を表示した場合に現われる画面の焼きつきを、信号処理回路側で改善する技術に関する。
【背景技術】
【０００２】
近年自発光型の画素で画面を構成したフラットタイプの表示パネルが開発されており、例えば有機ＥＬディスプレイが代表的である。この他にもＣＲＴ、ＰＤＰ、ＦＥＡなどがある。有機ＥＬディスプレイに組み込まれる発光素子は、発光量の総計に比例して輝度が低下していく傾向のあることが一般的に知られている。一方、ディスプレイの表示画面は例えばテレビジョンの時計表示の様に、固定パターンが繰り返し表示される場合があり、画面内における発光素子の輝度の経時的な低下が局所的に片寄ることがある。この様に局所的な発光素子の輝度劣化は、画面上で固定的な輝度ムラとして現われ、一般的に「焼きつき」と呼ばれる。又、発光色の異なる複数種の発光素子を用いる場合や、単一の発光素子でも複数の発光波長成分を持つ場合、発光色もしくは発光波長により経時的な輝度低下傾向が一致しない場合が多く見られる。この様な色別の輝度低下が起こると、ホワイトバランスがずれて、色が付いた様に見えたり暗く見えたりする。
【０００３】
発光素子の局所的且つ経時的な輝度劣化に起因する画面の焼きつきは、表示素子材料の発光寿命を改善することによって、恒久的に除くことが好ましい。しかしながら、自発光型のディスプレイでは、表示素子材料の発光寿命が幾ら延びたとしても、原理的に焼きつきを皆無とすることは不可能である。又、画像表示装置の用途などに依存して、焼きつきが起こり易い固定パターンを多く含む映像信号が専ら入力される場合もある。発光材料の寿命改善を行なっただけでは、焼きつきを防ぐことはできない。
【０００４】
そこで従来から発光材料開発の面ばかりでなく、映像信号処理や表示駆動制御の面から輝度ムラもしくは焼きつきを改善する技術が多数提案されており、例えば以下の特許文献１〜特許文献７が挙げられる。
【特許文献１】特開平０７−０３６４１０号公報
【特許文献２】特開２００３−１５０１１０公報
【特許文献３】特開２００２−１６９５０９公報
【特許文献４】特開２００２−２０７４７５公報
【特許文献５】特開平０８−２４８９３４号公報
【特許文献６】特開２０００−３５６９８１公報
【特許文献７】特開平０５−０６１４２６号公報
【発明の開示】
【発明が解決しようとする課題】
【０００５】
特許文献１は、発光素子の駆動電圧の変化量を検知し、その変化量に応じて定電流駆動信号を制御する回路を開示している。特許文献２は、ＥＬ素子が発光しない間、素子が劣化しない様に逆バイアスを印加する技術を開示している。特許文献３は、焼きつきを防止する為に画素の保持容量を積極的に放電する回路を開示しており、これを使って不要な発光時間を抑制し焼きつきを防止している。特許文献４はスクリーンセーバなどの用い方を工夫して焼きつきを緩和する技術を開示している。特許文献５は、画像の表示位置を僅かずつずらすことにより、同一箇所を長時間点灯しない様にして、焼きつき現象を防止する技術を開示している。特許文献６は、表示装置にデータが表示されている時間を計測し、この情報を元に劣化計算を行ない、表示素子の輝度を落として劣化速度を抑制することで、輝度低下を目立たなくする技術を開示している。特許文献６は単に表示されている時間を計測し、その経過時間から画面全体の輝度を下げる様に制御しているだけである。これにより画面全体としての寿命は長くなるが、焼きつき自体は補正することができない。特許文献７は画面に一定期間変化のない映像が入力された場合、全体の輝度を落として焼きつきを抑える技術を開示している。
【０００６】
この様に、従来の技術は、できるだけ発光素子を光らせない様にしたり、固定表示が出ない様にしたり、劣化速度を落としたり、ぼやかしたりすることしかできず、焼きつきを劇的に改善することはできなかった。
【課題を解決するための手段】
【０００７】
上述した従来の技術の課題に鑑み、本発明は自発光型の表示パネルで信号処理の面から焼きつきを抑制、隠蔽及び修復可能な画像表示装置及びその駆動方法を提供することを目的とする。係る目的を達成する為に以下の手段を講じた。即ち、表示パネルとこれに映像信号を供給する信号処理回路とからなり、該表示パネルは自発光型の画素で画面を構成し、該信号処理回路から供給された映像信号に応じ発光して画像を表示するとともに、固定パターンの画像を表示した場合局所的な画素の変化が生じ画面に輝度ムラが現れる画像表示装置において、前記信号処理回路は、該表示パネルが画像を表示している時間を累積して計測する時間計測部と、該計測された累積時間に応じて、該輝度ムラの隠蔽に効果的なパターンを生成するパターンジュネレータと、電源が投入されたとき、外部から入力された映像信号に該生成されたパターンを合成し、その結果得られた映像信号を該表示パネルに出力する画像合成部とを有することを特徴とする。
【０００８】
一態様では、前記画像合成部は、外部から入力された映像信号に該生成されたパターンを減算合成する。他の態様では、前記画像合成部は、外部から入力された映像信号に該生成されたパターンを加算合成する。好ましくは、前記パターンジュネレータは、該輝度ムラの隠蔽に効果的なパターンとしてランダムパターンを生成する。又、前記信号処理回路は、入力された映像信号から表示する画像の画面平均輝度を算出する平均輝度算出部を含み、前記パターンジュネレータは、該画面平均輝度に応じて該生成するパターンの輝度を調整する。
【０００９】
本発明は又、表示パネルとこれに映像信号を供給する信号処理回路とからなり、該表示パネルは自発光型の画素で画面を構成し、該信号処理回路から供給された映像信号に応じ発光して画像を表示するとともに、固定パターンの画像を表示した場合局所的な画素の変化が生じ画面に輝度ムラが現れる画像表示装置の駆動方法において、該表示パネルが画像を表示している時間を累積して計測する時間計測手順と、該計測された累積時間に応じて、該輝度ムラの隠蔽に効果的なパターンを生成するパターン生成手順と、電源が投入されたとき、外部から入力された映像信号に該生成されたパターンを合成し、その結果得られた映像信号を該表示パネルに出力する画像合成手順とを行なうことを特徴とする。
【発明の効果】
【００１０】
本発明によれば、信号処理の段階で外部から入力された映像信号によって表わされる画像パターンに、所定の焼きつき対策パターンを合成し、これを表示パネルに供給している。焼きつき対策パターンは、典型的にはランダムパターンである。換言すると、外部から入力された映像信号にランダムノイズを混入させることで、表示画像にランダムパターンを織り交ぜることが可能となり、これにより局所的な輝度ムラである焼きつきを視覚的に隠蔽することが可能になる。特に、表示パネルの発光時間（動作時間）を累積計測し、それに応じて焼きつき対策パターンの輝度を調整することで、焼きつきの進行に合わせて、隠蔽用パターンの輝度を強くすることができる。又映像信号により表わされる入力画像にランダムパターンを織り交ぜる際、入力画像にランダムパターンを減算合成することで、発光素子の経時的な輝度低下を抑制し、焼きつきの発生を軽減することが可能である。
【００１１】
この様に映像信号処理のみで対策可能であり、小規模な回路変更のみで画素毎の焼きつきを効果的に隠蔽することが可能である。人間の視角の特性を巧みに利用するだけで、焼きつきの違和感を軽減できる。パソコンモニター用やテレビジョンモニター用など様々な用途において、固定表示部分の輝度劣化を目立たなくすることができる。従来の様に劣化を補正する為に大規模な演算を行なう必要がなく、単に入力画像にランダムパターンを合成することで焼きつきを目立たなくすることが可能である。本発明の焼きつき隠蔽機能はタイミングジェネレータなど周辺システムＩＣの一部に実装することが可能であり、特別な追加回路を必要とすることなく且つ既存のディスプレイのシステムに影響を与えることなく、本発明の焼きつき軽減機能を実現することが可能である。特に、パソコン用やゲーム用のモニターなど固定画像が多い場合の局所的画素劣化を抑制することができる。
【発明を実施するための最良の形態】
【００１２】
以下図面を参照して本発明の実施の形態を詳細に説明する。図１は本発明に係る画像表示装置の第１実施形態の全体構成を示すブロック図である。図示する様に、本画像表示装置は表示パネル７とこれに映像信号を供給する信号処理回路０とから構成されている。表示パネル７は自発光型の画素で画面を構成し、信号処理回路０から供給された映像信号に応じ発光して画像を表示する。この表示パネル７は例えば有機ＥＬディスプレイである。尚本発明はこれに限られるものではなく、ＣＲＴ、ＰＤＰ、ＦＥＡなどの他の自発光型ディスプレイデバイスにも適用可能である。自発光型の表示パネル７は、固定パターンの画像を繰り返し表示した場合局所的な画素の輝度変化が進み、画面に局所的な輝度ムラ（焼きつき）が現われる。
【００１３】
信号処理回路０は、電源及び信号検出部１、時間計測＆データ保存部２、出力制御部３、パターンジェネレータ４、画像合成部５、平均輝度算出部６で構成されている。時間計測＆データ保存部２は、表示パネル７が画像を表示している時間を累積して計測する。パターンジェネレータ４は計測された累積時間に応じて焼きつきの隠蔽に効果的なパターンを生成する。画像合成部５は、電源が投入された時、外部から入力された映像信号に該生成されたパターンを合成し、その結果得られた映像信号を表示パネル７に出力する。本実施形態では、画像合成部５は外部から入力された映像信号に該生成されたパターンを減算合成する。他の態様では、画像合成部５は外部から入力された映像信号に該生成されたパターンを加算合成する場合もある。パターンジェネレータ４は焼きつき隠蔽に効果的なパターンとしてランダムパターンを生成する。平均輝度算出部６は入力された映像信号から表示する画像の画面平均輝度を算出する。パターンジェネレータ４は算出された画面平均輝度に応じて生成するパターンの輝度を調整する。これにより、焼きつきの進行に見合った輝度で焼きつき対策パターンを生成することが可能になる。
【００１４】
引続き、信号処理回路０の各部の動作を大まかに説明する。まず、外部から入力された映像信号は電源及び信号検出部１、平均輝度算出部６、画像合成部５に入力される。電源及び信号検出部１では、映像信号の入力の有無を、時間計測＆データ保存部２及び出力制御部３に伝える。時間計測＆データ保存部２では、電源及び信号検出部１から送られてくる入力信号の有無を表わす情報を元に、表示パネル７の累計点灯時間計測を行なう。出力制御部３では、電源及び信号検出部１と時間計測＆データ保存部２からの情報を元に、パターンジェネレータ４から出力されるパターン信号の選択及び画像合成部５の出力のオン／オフを制御する。パターンジェネレータ４では出力制御部３から入力されるパターン選択信号とパターン出力時間とから必要な表示パターンを生成し、必要な時間だけ出力する。画像合成部５では外部から入力された映像信号に対して、パターンジェネレータ４から出力されたパターン信号を合成し、その合成された映像信号を表示パネル７に出力する。合成方法は入力された映像信号に対してパターンジェネレータ４から供給されたパターン信号を減算するものである。
【００１５】
引続き図１を参照して、本画像表示装置の動作を詳細に説明する。電源及び信号検出部１では映像信号の入力の有無と表示パネル７の電源の投入の有無を、時間計測＆データ保存部２と出力制御部３に伝える。時間計測＆データ保存部２では、電源及び信号検出部１から送られてくる入力信号の有無を示す情報を元に、表示パネル７の累計点灯時間計測を行ない、随時その点灯時間をメモリに保存する。ここでは表示パネル７の電源がオンされた後、映像信号が送られている全ての時間を計測し、その情報をメモリに保存する。累計の点灯時間を保存するタイミングは電源のオフ情報が入って来た時と、入力信号が途絶えた時である。又計測した時間は出力制御部３に伝えられる。
【００１６】
出力制御部３では、電源及び信号検出部１と時間計測＆データ保存部２からの情報を元に、パターンジェネレータ４から出力されるパターン信号の選択及び画像合成部５の出力のオン／オフ制御を行なう。ここでは、表示パネル７の電源がオフからオンに切り替わった信号があった場合に、時間計測＆データ保存部２から得られる表示パネル７の点灯累計時間と、平均輝度算出部６から得られる現在のフレームの映像信号の全画素平均階調情報を元に、表示パネル７に出力する表示パターンをランダムに選択し、パターンジェネレータ４にその情報を伝える。
【００１７】
図２は、パターンジェネレータ４から出力されるパターンと、累積計測時間（経過時間）及び平均輝度階調との関係を示す模式図である。パターンジェネレータ４から出力されるパターンは、ドット毎に白と黒をランダム配置した画像で、経過時間及び平均輝度階調とともにパターンの白のレベルが上がっていく様になっている。例えば１万時間経過後では白レベルは５となっている。黒レベルは０のままである。尚、本実施形態は２５６階調の映像信号を対象としている。従って、実際に表示される白レベルの最高階調は２５５である。しかし焼きつき対策用に生成されるパターンの白レベルはほとんど黒レベルに近く、経過時間とともに徐々に上昇するが１万時間後でも例えば出力レベル５に過ぎない。一方、平均輝度階調と出力レベルとの関係を見ると、画面の平均輝度階調が２００の場合、ランダムパターンの白ドットの出力レベルは３である。これに対し平均輝度階調が最大の２５５になると、出力レベルは５となる。１万時間経過後、平均輝度階調が２００だった場合、出力パターンの白レベルは５＋３＝８となる。この様にして出力される焼きつき対策パターンは、数秒おきから数時間おきまでランダムに変化させることができる。入力信号がなくなると、パターンジェネレータ４の出力はオフになる。この様にパターンジェネレータ４では出力制御部３から入力される白レベルの指定と、ランダムパターン生成イネーブル信号、パターン出力オン／オフ信号から、必要な表示パターンをランダムに生成し且つ出力する。ランダムパターン生成イネーブル信号が入力されると、出力制御部３から入力されている出力白レベル情報を元に、ランダムな画像を生成する。そしてパターン出力オン／オフ情報を元に、画像合成部５に対して焼きつき対策パターンを出力する。このパターン信号は入力映像信号に同期している。パターン出力オフ時には、全画素出力レベルが０の完全黒色画像が画像合成部５に送られる。
【００１８】
図３に示す様に、画像合成部５では入力映像信号に対して、パターンジェネレータ４から出力されたパターン信号を互いに同期させて画像合成し、その合成画像を出力映像信号として表示パネル７に供給する。合成方法は、入力された映像信号に対してパターンジェネレータから供給されたパターン信号を減算している。この様に減算合成であるので、表示パネルに表示される画像の輝度は常に外部から入力された映像信号により表わされる画像の輝度よりも低くなり、その分焼きつきの進行を抑制することができる。
【００１９】
以上が動作の説明である。続いて焼きつき画像隠蔽の原理を図４に示す。図４の上段は、固定画像パターンが、経時変化後どの様に焼きつくかを示している。本発明の焼きつき対策機能をオフした場合である。入力信号としては黒色背景に月という白文字を表示させ焼きつきを起こさせている。経時変化後全白１００％の信号を表示パネルに入力すると、図示の様に月という文字の焼きつきパターンが浮き上がって観察される。この様に黒背景に白文字を繰り返し持続的に表示すると、光っている部分の画素が経時変化とともに輝度の減衰が起こる。輝度劣化後に入力信号として全白１００％のフラットな信号を入力すると、劣化した部分だけが薄く暗くなり、焼きついたパターンが見えてしまう。
【００２０】
そこで本発明の焼きつき対策機能をオンした場合を図４の下段に示す。図４の上段と同じ様に黒バックに白地の月という文字を長時間表示させた場合、同じ様に劣化後のパターンとしては月という文字が表示される。しかし本発明ではランダムパターンからなる焼きつき対策パターンが差し引かれた状態で実際の画面が構成される為、焼きついた画像はランダムノイズによって階調の違うドットで構成される様になる。従って、この原理を用いることで経時変化による輝度劣化が起こっても、焼きつくパターンを同一輝度ではなく異なる輝度で表示させることができる為、焼きつきのパターンの視認性を悪くすることができる。又、焼きつきパターンから減算する白レベルを入力映像信号の平均階調とともに変化させることで、明るい入力画像の時により効果的にランダムノイズを入力画像に織り交ぜることができる。
【００２１】
図５は、本発明に係る画像表示装置の第２実施形態を示す模式的なブロック図である。本画像表示装置も信号処理回路０及び表示パネル７で構成されている。信号処理回路０は、電源及び信号検出部１、時間計測＆データ保存部２、出力制御部３、パターンジェネレータ４及び画像合成部５で構成されている。
【００２２】
まず入力映像信号は電源及び信号検出部１に入力される。ここでは入力信号の有無を、時間計測＆データ保存部２及び出力制御部３に伝える。又表示パネル７の電源の投入の有無を時間計測＆データ保存部２と出力制御部３に伝える。時間計測＆データ保存部２では、電源及び信号検出部１から送られてくる入力映像信号の有無を表わす情報を元に、表示パネル７の累計点灯時間計測のオン／オフを制御する。ここでは表示パネル７の電源がオンしてから、映像信号が送られてくる全ての時間を計測し、その情報をメモリに保存する。累計の点灯時間を保存するタイミングは電源オフを示す情報が入ってきた時と、入力映像信号が途絶えた時である。計測した時間は出力制御部３に送られる。
【００２３】
出力制御部３では、電源及び信号検出部１と時間計測＆データ保存部２から送られて来る情報を元に、パターンジェネレータ４から出力されるパターン信号の選択及び画像合成部５の出力のオン／オフ制御を行なう。ここでは表示パネルの電源がオフからオンとなった入力信号があった場合に、時間計測＆データ保存部２から得られる表示パネル７の点灯累計時間を元に、表示パネル７に出力する表示パターンを選択し、その結果をパターンジェネレータ４に伝える。パターンジェネレータ４は出力制御部３の指示に従って所定の焼きつき対策パターンを生成する。
【００２４】
図６は、パターンジェネレータから出力されたパターンと、計測時間（経過時間）との関係を示している。パターンジェネレータ４から出力されるデータはドット毎に白黒反転した画像で、経過時間とともにパターンの白のレベルが上がっていく様になっている。又入力映像信号が途絶えると、パターンジェネレータ４の出力はオフされる。パターンジェネレータ４では出力制御部３から送られて来るパターン選択信号とパターン出力時間とから、必要な表示パターンを生成し且つ必要な時間だけ出力する。
【００２５】
図７に示す様に、画像合成部５では、外部から入力された映像信号に対して、パターンジェネレータから出力される信号を画像合成し、その合成画像を出力する。第１実施形態と異なり、この第２実施形態における合成方法は、入力画像に対してパターンジェネレータの信号を加算する方式である。
【００２６】
図８は、第２実施形態における焼きつき画像隠蔽の原理を示す模式図である。図８の上段は焼きつき対策機能をオフした場合を表わしている。入力信号としては黒背景に月という白文字を表示させ、経時変化後全白１００％信号を入力した場合に観察される焼きつきパターンを劣化後の状態として示している。この様に黒バックに文字を表示させた場合は、光っていた画素が経時変化とともに輝度減衰を起こす。輝度劣化後に入力信号として全白１００％のフラットな信号を入力させると、劣化した画素の部分だけ暗く影の様になって現われ、焼きついたパターンが見えてしまう。
【００２７】
図８の下段は焼きつき対策機能をオンさせた場合の経時変化を表わしている。月という文字を繰り返し持続的に表示させると、経時変化後薄く月の文字の焼きつきパターンが現われる。焼きつき対策機能をオンしていると所定のパターンも入力映像信号に加算合成されるので、これも経時変化後焼きつきが生じることになる。焼きついた月という文字のパターンの他にもドット毎に白黒反転を行なったパターンも焼きつくことになる。劣化後の画面では両方のパターンが同時に合算された状態で観察される為、経時変化による輝度劣化が起こったとしても、焼きついたパターンをドット毎に白黒反転した別のパターンで埋もれさすことができ、視認性を悪くすることが可能になる。これが本第２実施形態の基本原理である。これに加え、時間経過とともに合成するドット白黒反転画像の白レベルを変化させることで、時間経過とともに輝度劣化が目立つ様になることを効果的に抑えることができる。一般に時間が経過する程画素毎の輝度劣化の差が激しくなる。輝度差が大きくなるとともに、強制的に焼きつきを起こすドット毎白黒信号の輝度レベルを上げることによって、より効果的に焼きつきを目立たなくさせることができる様になる。
【００２８】
図９は、図１及び図５に示した表示パネル７の一例を示すブロック図である。この表示パネル７は、画素回路（ＰＸＬＣ）１１がｍ×ｎのマトリクス状に配列された画素アレイ部１２、データ線駆動回路１４、走査線駆動回路１３、１３ａ、データ線駆動回路１４により選択され輝度情報に応じた信号が供給されるデータ線ＤＴＬ−１〜ＤＴＬ−ｍ、追加の走査線駆動回路１３ａにより選択駆動される走査線ＷＳＬ−１〜ＷＳＬ−ｎ、及び走査線駆動回路１３により選択駆動される走査線ＤＳＬ−１〜ＤＳＬ−ｎを有する。ここで走査線駆動回路１３はデューティ駆動を行い、走査線駆動回路１３ａはデューティ駆動に先立って、各画素に対するデータの書き込み駆動を行なう。
【００２９】
図１０は図９に示した表示パネルの具体的な回路構成例を示す回路図である。図示する様に、この画素回路１１は、基本的にｐチャネル型の薄膜電界効果トランジスタ（以下、ＴＦＴと言う）で構成されている。すなわち画素回路１１は、ドライブＴＦＴ１１１、スイッチングＴＦＴ１１２、サンプリングＴＦＴ１１５、有機ＥＬ素子１７、保持容量Ｃ１１１を有する。係る構成を有する画素回路１１は、データ線ＤＴＬ−１と走査線ＷＳＬ−１，ＤＳＬ−１との交差部に配されている。データ線ＤＴＬ−１はサンプリングＴＦＴ１１５のドレインに接続し、走査線ＷＳＬ−１はサンプリングＴＦＴ１１５のゲートに接続し、他の走査線ＤＳＬ−１はスイッチングＴＦＴ１１２のゲートに接続している。
【００３０】
ドライブＴＦＴ１１１、スイッチングＴＦＴ１１２及び有機ＥＬ素子１７は、電源電位Ｖｃｃと接地電位ＧＮＤの間で直列に接続されている。すなわちドライブトランジスタ１１１のソースが電源電位Ｖｃｃに接続される一方、有機ＥＬ素子（発光素子）１７のカソードが接地電位ＧＮＤに接続されている。一般に、有機ＥＬ素子１７は整流性がある為ダイオードの記号で表わしている。一方、サンプリングＴＦＴ１１５及び保持容量Ｃ１１１は、ドライブＴＦＴ１１１のゲートに接続している。ドライブＴＦＴ１１１のゲート・ソース間電圧をＶｇｓで表わしている。
【００３１】
画素回路１１の動作であるが、まず走査線ＷＳＬ−１を選択状態（ここでは低レベル）とし、データ線ＤＴＬ−１に信号を印加すると、サンプリングＴＦＴ１１５が導通して信号が保持容量Ｃ１１１に書き込まれる。保持容量Ｃ１１１に書き込まれた信号電位がドライブトランジスタ１１１のゲート電位となる。続いて、走査線ＷＳＬ−１を非選択状態（ここでは高レベル）とすると、データ線ＤＴＬ−１とドライブＴＦＴ１１１とは電気的に切り離されるが、ドライブＴＦＴ１１１のゲート電位Ｖｇｓは保持容量Ｃ１１１によって安定に保持される。続いて他の走査線ＤＳＬ−１を選択状態（ここでは低レベル）にすると、スイッチングＴＦＴ１１２が導通し、電源電位Ｖｃｃから接地電位ＧＮＤに向かって駆動電流がＴＦＴ１１１，ＴＦＴ１１２及び発光素子１７を流れる。ＤＳＬ−１が非選択状態になるとスイッチングトランジスタ１１２がオフし、駆動電流は流れなくなる。スイッチングＴＦＴ１１２は発光素子１７の発光時間を制御する為に挿入されたものである。
【００３２】
ＴＦＴ１１１及び発光素子１７に流れる電流は、ＴＦＴ１１１のゲート・ソース間電圧Ｖｇｓに応じた値となり、発光素子１７はその電流値に応じた輝度で発光し続ける。上記の様に、走査線ＷＳＬ−１を選択してデータ線ＤＴＬ−１に与えられた信号を画素回路１１の内部に伝える動作を「書き込み」と呼ぶ。上述の様に、一度信号の書き込みを行なえば、次に書き換えられるまでの間、発光素子１７は一定の輝度で発光を続ける。
【図面の簡単な説明】
【００３３】
【図１】本発明の第１実施形態に係る画像表示装置を示すブロック図である。
【図２】第１実施形態の動作説明に供する模式図である。
【図３】第１実施形態の画像合成部の機能説明図である。
【図４】第１実施形態の動作説明に供する模式図である。
【図５】本発明の第２実施形態に係る画像表示装置を示すブロック図である。
【図６】第２実施形態の動作説明に供する模式図である。
【図７】図５に示した画像表示装置に含まれる画像合成部の機能説明図である。
【図８】第２実施形態の動作説明に供する模式図である。
【図９】表示パネルの一例を示すブロック図である。
【図１０】表示パネルの一例を示す回路図である。
【符号の説明】
【００３４】
０・・・信号処理回路、１・・・電源及び信号検出部、２・・・時間計測＆データ保存部、３・・・出力制御部、４・・・パターンジェネレータ、５・・・画像合成部、６・・・平均輝度算出部、７・・・表示パネル
【図１】
2006038966.tif 000003
【図２】
2006038966.tif 000004
【図３】
2006038966.tif 000005
【図４】
2006038966.tif 000006
【図５】
2006038966.tif 000007
【図６】
2006038966.tif 000008
【図７】
2006038966.tif 000009
【図８】
2006038966.tif 000010
【図９】
2006038966.tif 000011
【図１０】
2006038966.tif 000012